(57)【要約】  【課題】  歯冠の強度を十分に確保し、不用意な脱落や破損を防止することができるようにした上に、歯冠の色調や装飾パーツ類を、装着者の好みに合わせて自由自在に選択することができるようにした歯冠の装飾技術を提供する。  【解決手段】  歯冠の全体または唇頬側面に対し、着色成分を含有した歯冠修復材料によって歯冠表面を形成する歯冠被覆着色層３を設け、宝石および／または貴金属製の装飾パーツ５を固定してなる歯冠装飾綴物１である。【選択図】    図８
2005253631.tif 000002
【特許請求の範囲】
【請求項１】
歯冠の全体または唇頬側面の一部もしくは全部に対し、着色成分を含有した歯冠修復材料によって歯冠表面を形成する歯冠被覆着色層を設け、少なくとも該歯冠被覆着色層に埋入状であって、その装飾部分は露出させるようにした宝石および／または貴金属製の装飾パーツを固定してなるものとしたことを特徴とする歯冠装飾綴物。
【請求項２】
ブリッジ、部分床義歯または全部床義歯の選択された歯冠、硬質レジン前装冠、メタルボンド冠（陶材焼付冠）、金属冠、オールセラミッククラウンあるいはラミネートベニアの何れかの唇側面または頬側面の一部もしくは全部に、着色成分を含有した歯冠修復材料からなり、隣接する歯冠の同側面に円滑に連なる歯冠被覆着色層を形成し、少なくとも該歯冠被覆着色層に埋入状であって、その装飾部分は露出させるようにした宝石および／または貴金属製の装飾パーツを固定してなるものとしたことを特徴とする歯冠装飾綴物。
【請求項３】
クラウン（人工歯冠）、ラミネートベニア、インレーまたはアンレー（修復物）自体の唇側面または頬側面の一部もしくは全部に、適宜選択された色調のステイン材を含有した硬質レジンからなり、隣接する歯冠の同側面に円滑に連なる歯冠被覆着色層を形成し、同歯冠被覆着色層の適所に埋入状であって、その装飾部分は露出させるようにした宝石および／または貴金属製の装飾パーツを固着してなるものとしたことを特徴とした歯冠装飾綴物。
【請求項４】
金属製のクラウン（人工歯冠）、インレーまたはアンレー（修復物）自体の唇側面または頬側面の一部もしくは全部に、適宜選択された色調のステイン材を含有した硬質レジンからなり、隣接する歯冠の同側面に円滑に連なる歯冠被覆着色層をオペーク材を介して装着し、同歯冠被覆着色層の適所に埋入状であって、その装飾部分は露出させるようにした宝石および／または貴金属製の装飾パーツを固着してなるものとしたことを特徴とした歯冠装飾綴物。
【請求項５】
金属製のクラウン（人工歯冠）、インレーまたはアンレー（修復物）自体の唇側面または頬側面の一部もしくは全部に、適宜選択された色調のステイン材を含有したポーセレンからなり、隣接する歯冠の同側面に円滑に連なる歯冠被覆着色層をオペーク材を介して装着し、同歯冠被覆着色層の適所に埋入状であって、その装飾部分は露出させるようにした宝石および／または貴金属製の装飾パーツを固着してなるものとしたことを特徴とした歯冠装飾綴物。
【請求項６】
歯冠の全体または唇頬側面の一部もしくは全部に対し、着色成分を含有した歯冠修復材料を装着することによって歯冠被覆着色層を、隣接する歯冠の同側面に円滑に連なるよう形成し、硬化前段階における同歯冠被覆着色層の適所に、その装飾部分は露出させるようにした宝石および／または貴金属製の装飾パーツを、埋入状とするよう固定したものとする、前記請求項１ないし５何れか一項記載の歯冠装飾綴物を利用した歯冠装飾方法。
【請求項７】
歯冠の全体または唇頬側面の一部もしくは全部に対し、着色成分を含有した歯冠修復材料を装着することによって歯冠表面の適所に凹欠部分を有する歯冠被覆着色層を、隣接する歯冠の同側面に円滑に連なるよう形成し、硬化を完了した段階における同歯冠被覆着色層の適所凹欠部分に、その装飾部分は露出させるようにした宝石および／または貴金属製の装飾パーツを、埋入状とするよう固定したものとする、前記請求項１ないし５何れか一項記載の歯冠装飾綴物を利用した歯冠装飾方法。
【請求項８】
歯冠の全体または唇頬側面の一部もしくは全部に対し、着色成分を含有した歯冠修復材料を装着することによって歯冠被覆着色層を、隣接する歯冠の同側面に円滑に連なるよう形成し、硬化を完了した段階における同歯冠被覆着色層の歯冠表面適所に凹欠加工を施し、その装飾部分は露出させるようにした宝石および／または貴金属製の装飾パーツを、該凹欠加工部位に埋入状とするよう固定したものとする、前記請求項１ないし５何れか一項記載の歯冠装飾綴物を利用した歯冠装飾方法。
【発明の詳細な説明】
【技術分野】
【０００１】
この発明は、歯科治療に関連するあらゆる分野をその技術分野とするものであって、天然歯治療および綴物、充填物、矯正装置を製造、修理する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                          
【背景技術】
【０００２】
（視  点）
齲蝕や外傷によって失われたり、破折してしまった歯冠を修復する場合に行われる一般的な治療は、全部鋳造冠、硬質レジン前装冠またはメタルボンド冠（陶材焼付冠）の装着や、部分床義歯あるいは全部床義歯の使用等に代表されるが、これらは何れも歯冠機能の回復を目的とするものであって、奥歯等の目立たないところに用いられる全部鋳造冠は、金属色そのままとなり、その他の特に左右犬歯間に位置する前歯のように容姿に大きく影響する歯冠等については、唇頬側面もしくは歯冠全体に、隣接する天然歯に近い色調を選択して、着色された補綴物を装着する治療が行われてきた。
こうした一般的な治療に加え、近年では、頭髪の染色やピアスの装着、ネイルアート等といったファッションの多様化に伴い、個人的な好みを優先させた様々な装飾を、歯冠にも施したいという要望が高まり、歯冠に対して装飾性を高める加工技術が相次いで開発されている。
【０００３】
（従来の技術）
このような歯冠への装飾に関する技術に代表されるものとして、例えば特開平１１−４８３８号公報に開示された、黄金色系、銀白色系もしくは白金色系の色および／または輝きを呈する金属から形成され、中間部分が括れると共に、基端部に向けて拡開した固定受け部材を有し、宝石の裏面底部側に取り付ける固定受け部材を介して歯または人工歯の凹部に固着される「歯若しくは人工歯用宝石具」野田発明や、実開昭６１−８８７１３号公報の、表面に所望の宝石を埋め込み、または所望の形状、模様、色彩等のデザインを施すと共に、裏面を添着すべき歯の歯面または歯間に密着する形状に成形してなる着脱自在な「歯に添着する装飾カバー」中村考案等が知られている。
【０００４】
しかしながら、前者の「歯若しくは人工歯用宝石具」は、それ自体が宝石を保持して歯冠に埋設状に固着されるものとなっていることから、歯冠装着部分に穿孔する装着穴を、宝石だけを装着する場合に比較して大型化する必要があり、歯冠の強度面での不安がある上、残存歯冠部分の形状等に自ずと制限が発生してしまい、宝石具と干渉してしまうときには装着を断念するか、あるいは歯根上部の象牙質部分や、装着されたインレーやアンレー等に加工を加える必要がでてくることも予想され、こうした事態を回避しようとすれば、小さめの宝石を装着しなければならないこととなる。また、後者の「歯に添着する装飾カバー」は、歯科医師や歯科技工士等の手を煩わせることなく、使用者自らの手によって着脱自在な構造となっているが、それ故に装着作業の細部に個人差が生じ易く、確実に固着できていないときなどには、口腔内に装着、使用している最中に、装飾カバーが不用意に脱落してしまい、ときとして誤飲に至ってしまう虞れがあると言わざるを得ないものであった。                                                                                                
【特許文献１】（１）特開平１１−４８３８号公報    （２）実開昭６１−８８７１３号公報
【発明の開示】
【発明が解決しようとする課題】
【０００５】
（問題意識）
この発明は、以上のように従前までに歯冠を装飾する各種の技術が開発されているにも拘らず、宝石を把持した宝石具を装着するために、歯冠に比較的大きな装着穴を穿孔しなければならず、歯冠自体の強度に不安が生じる上、人工歯冠のみならず、その支台となるインレーや残存歯冠部分の象牙質にまで加工を施す必要が生じさせる心配があったり、あるいは、歯冠に装着された装飾カバーが、咀嚼の際に脱落してしまう虞れを完全に払拭することができない等、機能的な部分での不安が残るものであり、こうしたことを危惧することなく安心して装着することができ、しかも歯冠の色調および宝石等の装飾パーツ類を、全く自由に選択することができる歯冠の装飾技術は、未だ確立されていないというのが実情であった。
【０００６】
（発明の目的）
そこで、この発明は、歯冠の強度を十分に確保し、不用意な脱落や破損を防止することができる上、歯冠の色調や装飾パーツ類を、装着者の好みに合わせて自由に選択することができる歯冠の装飾技術を開発することはできないものかとの判断から、逸速くその開発、研究に着手し、長期に渡る試行錯誤と幾多の試作、実験とを繰り返してきた結果、今回、遂に新規な構造の歯冠装飾綴物、およびそれを利用した新規な歯冠装飾方法を実現化することに成功したものであり、以下では、図面に示すこの発明を代表する幾つかの実施例と共に、この発明のものの構成を詳述していくこととする。                                                          
【課題を解決するための手段】
【０００７】
（発明の構成）
図面に示すこの発明を代表する実施例からも明確に理解されるように、この発明の歯冠装飾綴物は、基本的に次のような構成から成り立っている。
即ち、歯冠の全体または唇頬側面の一部もしくは全部に対し、着色成分を含有した歯冠修復材料によって歯冠表面を形成する歯冠被覆着色層を設け、少なくとも該歯冠被覆着色層に埋入状であって、その装飾部分は露出させるようにした宝石および／または貴金属製の装飾パーツを固定してなるものとした構成を要旨とする歯冠装飾綴物である。
【０００８】
上記基本的な構成によるこの発明の歯冠装飾綴物を、より具体的な構成のものとして示すと、ブリッジ、部分床義歯または全部床義歯の選択された歯冠、硬質レジン前装冠、メタルボンド冠（陶材焼付冠）、金属冠、オールセラミッククラウンあるいはラミネートベニアの何れかの唇側面または頬側面の一部もしくは全部に、着色成分を含有した歯冠修復材料からなり、隣接する歯冠の同側面に円滑に連なる歯冠被覆着色層を形成し、少なくとも該歯冠被覆着色層に埋入状であって、その装飾部分は露出させるようにした宝石および／または貴金属製の装飾パーツを固定してなる構成の歯冠装飾綴物であるということができる。
【０００９】
さらに具体的には、クラウン（人工歯冠）、ラミネートベニア、インレーまたはアンレー（修復物）自体の唇側面または頬側面の一部もしくは全部に、適宜選択された色調のステイン材を含有した硬質レジンからなり、隣接する歯冠の同側面に円滑に連なる歯冠被覆着色層を形成し、同歯冠被覆着色層の適所に埋入状であって、その装飾部分は露出させるようにした宝石および／または貴金属製の装飾パーツを固着してなるものとした歯冠装飾綴物といえる。
【００１０】
そして、この発明の上記した歯冠装飾綴物を、表現を変えて示すと、金属製のクラウン（人工歯冠）、インレーまたはアンレー（修復物）自体の唇側面または頬側面の一部もしくは全部に、適宜選択された色調のステイン材を含有した硬質レジンからなり、隣接する歯冠の同側面に円滑に連なる歯冠被覆着色層をオペーク材を介して装着し、同歯冠被覆着色層の適所に埋入状であって、その装飾部分は露出させるようにした宝石および／または貴金属製の装飾パーツを固着してなる構成の歯冠装飾綴物となる。
【００１１】
さらに換言するならば、金属製のクラウン（人工歯冠）、インレーまたはアンレー（修復物）自体の唇側面または頬側面の一部もしくは全部に、適宜選択された色調のステイン材を含有したポーセレンからなり、隣接する歯冠の同側面に円滑に連なる歯冠被覆着色層をオペーク材を介して装着し、同歯冠被覆着色層の適所に埋入状であって、その装飾部分は露出させるようにした宝石および／または貴金属製の装飾パーツを固着してなるものとした歯冠装飾綴物ということができる。
【００１２】
（関連する発明）
上記までの歯冠装飾綴物に関連し、この発明には、その歯冠装飾綴物を利用した歯冠装飾方法も包含される。
即ち、歯冠の全体または唇頬側面の一部もしくは全部に対し、着色成分を含有した歯冠修復材料を装着することによって歯冠被覆着色層を、隣接する歯冠の同側面に円滑に連なるよう形成し、硬化前段階における同歯冠被覆着色層の適所に、その装飾部分は露出させるようにした宝石および／または貴金属製の装飾パーツを、埋入状とするよう固定してなる構成を要旨とする、前記までのこの発明の歯冠装飾綴物を利用した歯冠装飾方法である。
【００１３】
この基本的な構成の歯冠装飾方法を、別の表現によるものとすれば、歯冠の全体または唇頬側面の一部もしくは全部に対し、着色成分を含有した歯冠修復材料を装着することによって歯冠表面の適所に凹欠部分を有する歯冠被覆着色層を、隣接する歯冠の同側面に円滑に連なるよう形成し、硬化を完了した段階における同歯冠被覆着色層の適所凹欠部分に、その装飾部分は露出させるようにした宝石および／または貴金属製の装飾パーツを埋入状とするよう固定したものとする歯冠装飾方法ということができる。
【００１４】
さらに換言して示すと、歯冠の全体または唇頬側面の一部もしくは全部に対し、着色成分を含有した歯冠修復材料を装着することによって歯冠被覆着色層を、隣接する歯冠の同側面に円滑に連なるよう形成し、硬化を完了した段階における同歯冠被覆着色層の歯冠表面適所に凹欠加工を施し、その装飾部分は露出させるようにした宝石および／または貴金属製の装飾パーツを、該凹欠加工部位に埋入状とするよう固定した構成の歯冠装飾方法となる。                                                                                                      
【発明の効果】
【００１５】
以上のとおり、この発明の歯冠装飾綴物によれば、天然歯に装着する場合であっても齲蝕治療の状況に応じて表層のエナメル質または象牙質部分に、着色成分を含有した歯冠修復材料からなる適宜歯冠被覆着色層を形成し、当該歯冠被服着色層に対して宝石および／または貴金属製の装飾パーツを装着したものとすることができるため、天然歯に対する過剰な歯質の削除を防止することが可能であり、歯冠の健康と強度を十分に確保することができ、しかも装飾パーツを含む歯冠被覆着色層が、本来の歯冠修復治療における補綴物と同等の耐久性能を有するので、飲食中の不用意な脱落や破損を確実に防止することができる上、何よりも装着者自らが、歯冠の色調や装飾パーツ類を、自由に選択することができるようになり、ファッションの多様化による歯冠装飾へのニーズの高まりに幅広く答えることができるようになるという秀れた特徴が得られるものである。
【００１６】
また、この発明の歯冠装飾方法によれば、異なる歯冠修復材料による装着工程の違いに応じて、コンポジットレジンのように歯冠修復材料が硬化させる前段階に装飾パーツを埋入状としたほうが処置し易く、しかも天然歯に対して直接築盛することが容易な場合や、陶材焼付鋳造冠のように予め装着穴が加工された歯冠修復材料が硬化した後に、口腔外において装飾パーツを取り付けるのが望ましい場合、あるいは、硬質レジン前装冠やラミネートベニアのように、口腔外において、成型、硬化済みの歯冠被覆着色層に装着穴を穿孔し、装飾パーツを装着するのがよい場合等、様々な歯冠修復材料に応じて最適な工程を選択し、最も望ましい製作工程を経て、当該歯冠装飾綴物を製造することができるという大きな効果を発揮するものである。                                                        
【発明を実施するための最良の形態】
【００１７】
上記したとおりの構成からなるこの発明の実施に際し、その最良もしくは望ましい形態について説明を加えることにする。
歯冠は、当該歯冠装飾綴物を装着する対象物であって、天然歯を含み、天然歯に直接装着される場合の当該歯冠装飾綴物は、天然歯部分を除き、該天然歯のエナメル質または象牙質に対して装着される着色成分を含有する歯冠被覆着色層と、その適所に埋入状に固定された宝石および／または貴金属製の装飾パーツとからなるものであり、また、天然歯またはインプラント等の歯根に装着されるブリッジ、部分床義歯または全部床義歯の選択された歯冠、あるいは硬質レジン前装冠、メタルボンド冠（陶材焼付冠）、金属冠、オールセラミッククラウン、継続歯、ジャケット冠、ラミネートベニア、インレーまたはアンレー等の補綴物に対して装着される場合の当該歯冠装飾綴物は、それら何れかの補綴物を含み、該補綴物の少なくとも唇側面もしくは頬側面となる一部または全部に装着された着色成分を含有する歯冠被覆着色層と、その適所に埋入状に固定された宝石および／または貴金属製の装飾パーツとからなるものである。
【００１８】
歯冠被覆着色層は、装飾の対象となる歯冠の全体、または唇側面あるいは頬側面の一部もしくは全部を、装着者の所望する色彩に着色すると共に、装飾部分は露出させるよう装飾パーツを埋入状に固定してしまう機能を果たし、装着者の好みに応じて選択された着色成分の適量を含有し、装着者の求めに応じた色彩に仕上げられたものとしなければならず、単一色または複数色の着色成分を完全に均一色となるまで混合した歯冠修復材を用いることが可能である外、必要に応じて歯冠修復材に着色成分を混合する際に、単一色または複数色の着色成分を完全に均等色となるまで混合せずに、濃淡や流動模様を残した状態としたまま硬化させ、複雑な模様を形成したものとすることが可能であり、または、積層状として下地層付近または表面付近に配された金属箔小片や宝石屑等を、表面側に形成された透明層を通じて、透視可能な構造とすることが可能であり、より具体的には、所望の色彩を有するステイン材を適量混合した硬質レジンあるいはポーセレンからなるものとすることができる外、天然歯のエナメル質または象牙質に被覆したステイン材を含有するコンポジットレジン製のものや、ブリッジ、部分床義歯または全部床義歯の選択された歯冠、あるいは硬質レジン前装冠、メタルボンド冠（陶材焼付冠）、オールセラミッククラウン、継続歯、ジャケット冠、ラミネートベニア、インレーまたはアンレー等の適所に、ステイン材を添加した硬質レジンやポーセレン等の着色可能な歯冠修復材料を装着して形成したものとすることができる。
【００１９】
オペーク材は、金属製の人工歯冠あるいはインレーまたはアンレー等の修復物の表面側にポーセレンや硬質レジン等からなる歯冠被覆着色層を装着する場合に、十分な接着力を確保すると共に、下地金属材色を遮蔽して所望の下地色を呈するものとし、当該歯冠被覆着色層を透過して審美性を向上するように色補正可能とする機能を果たし、必要に応じてサービカル、デンティン、エナメル、トランスルーセント（何れも商品名）等を用いることが可能となる上、さらにリテンションビーズやビーズペン（何れも商品名）等の保持用ビーズを使用することができる。
【００２０】
装飾パーツは、歯冠被覆着色層の唇側面もしくは頬側面となる適所に配され、同歯冠被覆着色層の色彩と相俟って装飾性を向上し、歯冠自体の外的美観および質感を高める機能を果たすものであり、ダイヤモンド、エメラルド、サファイア、ルビー、水晶、真珠等の原石や、カボションカット、ブリリアントカット、ステップカット等の加工が施されたものや、金、銀、白金等の貴金属、あるいはそれら宝石と貴金属とを組み合わせたものとすることが可能であり、さらに、チタン合金やステンレス合金等のアレルギーの虞れがない生体親和性に秀れた非貴金属を使用し、あるいは宝石や貴金属と組み合わせて使用することも可能である。
以下では、図面に示すこの発明を代表する実施例と共に、その構造について詳述していくことにする。                                                                                      
【実施例１】
【００２１】
図１の右側切歯に歯冠装飾綴物を装着した上顎の斜視図、図２の歯冠装飾綴物を装着した歯冠の断面図、図３の支台を装着する失活歯の断面図、図４のクラウンの断面図、図５のオペーク材を塗布したクラウンの断面図、および図６の歯冠被覆着色層を装着したクラウンの断面図に示される事例は、硬質レジン前装冠２の唇側面全部に、着色成分を含有した歯冠修復材料からなり、隣接する歯冠の同側面に円滑に連なる歯冠被覆着色層３を形成し、少なくとも該歯冠被覆着色層３に埋入状であって、その装飾部分は露出させるようにした宝石製の装飾パーツ５を固定してなるものとしたこの発明に包含される歯冠装飾綴物１における代表的な一実施例を示すものである。
【００２２】
当該歯冠装飾綴物１は、図２中に示される銀合金、パラジウム合金、ニッケルクロム合金、コバルトクロム合金等の金属製クラウン（人工歯冠）２の、唇側面全体に、オペーク材４を介して例えば青色系の粉末あるいは液状のステイン材（着色成分）を適量添加、混合して均質色とした硬質レジン、ハイブリットレジンあるいはコンポジットレジン（歯冠修復材料）を、約１．５ｍｍの薄さで築盛して歯冠被覆着色層３を形成し、当該歯冠被覆着色層３の表面適所に、装飾パーツであるダイヤモンド５の基部側を埋入状とし、装飾部分は露出させた状態に固定したものとなっており、図１ないし図３中に示すように、根管治療を施し、インレー６を装着して支台を形成した失活歯に装着されるようにしたものとなっている。                                                                                        
【実施例２】
【００２３】
図７の歯冠装飾綴物を装着した歯冠の断面図は、失活歯に金属製であり、クラウン部分を一体に成型したインレー６を装着して支台を形成し、その歯冠唇側面の全体に渡りオペーク材４を塗布し、例えば赤色系の粉末あるいは液状のステイン材（着色成分）を適量添加、混合して均質色とした光重合型コンポジットレジン（歯冠修復材料）を、約１．５ｍｍの薄さで築盛して歯冠被覆着色層３を形成し、その表面側となる適所には、装飾パーツであるダイヤモンド５の基部を埋入状として装飾部分は露出させた状態にして固定するようにしたものである。                                                                                  
【実施例３】
【００２４】
図８の歯冠装飾綴物を装着した天然歯の断面図は、唇側面に発生した浅い齲蝕部分を削り、エナメル質部分を除去した生活歯であって、同歯冠に露出状となったエナメル質または象牙質表面に対し、例えば橙色系の粉末あるいは液状のステイン材（着色成分）を適量添加、混合して均質色とした光重合型コンポジットレジン（歯冠修復材料）を、約１．５ｍｍの薄さで築盛して歯冠被覆着色層３を形成し、その表面側となる適所には、装飾パーツであるダイヤモンド５の基部を埋入状とし、装飾部分は露出させた状態のままで固定してある。                                                                                
【実施例４】
【００２５】
図９の歯冠装飾綴物を装着した部分床義歯要部の断面図、および図１０の取り外した部分床義歯要部の断面図に示される事例は、失活歯に対して硬質レジン製であってクラウン部分をもたず、上端面の略中央にキーパー（磁石）６１を露出させたインレー６を装着して支台を形成し、該インレー６の頭部に対し、硬質レジン成型品であって基部対応箇所に吸着面部分を露出状とした磁性体２２が一体に形成されたクラウン（人工歯冠）２が、脱着自在に装着されるものとした部分床義歯２１の一部を示すものであり、当該クラウン２の唇側面の全体にオペーク材４を塗布し、その上に例えば蛍光紫色系の粉末あるいは液状のステイン材（着色成分）を適量添加したポーセレン（歯冠修復材料）を、約１．５ｍｍの薄さで築盛して歯冠被覆着色層３を形成し、当該歯冠被覆着色層３の適所には、装飾パーツであるダイヤモンド５を埋入状とし、装飾部分は露出させた状態になるよう固定している。
【００２６】
（実施例の作用）
以上のとおりの構成からなるこの発明の歯冠装飾綴物１は、同歯冠装飾綴物を利用した歯冠装飾方法によって製造することができる。
図１ないし図６に示した歯冠装飾綴物１は、図４中に示される金属製クラウン（人工歯冠）２の、予め築盛分を約１．５ｍｍ程度削除して成型された唇側面全体に渡り、図５中に示すように、下地色を調整可能とする白色系、金色系、明銀色系あるいは着色成分色に適合する蛍光色等のオペーク材４を装着し、その上層に例えば青色系の粉末あるいは液状のステイン材（着色成分）を適量添加、混合して均質色とした硬質レジン、ハイブリットレジンあるいはコンポジットレジン（歯冠修復材料）を、約１．５ｍｍの薄さで装着し、隣接する歯冠の唇側面に、段差がなく円滑に連なる歯冠被覆着色層３を形成し、同歯冠被覆着色層３が硬化する前段階に、当該歯冠被覆着色層３の適所に、図６中に示すよう、装飾パーツであるダイヤモンド５の基部を埋入状とし、その装飾部分は露出させた状態に固着したものとする。
【００２７】
歯冠被覆着色層３を硬化させて完成したクラウン２は、図３中に示すように、根管治療を行った失活歯に装着されたインレー６に対して被着、固定することにより、図１および図２中に示すように口腔内に装着されたものとなる。また、インレー６に対して固着され、口腔内にあるクラウン２の唇側面または頬側面に対して当該歯冠被覆着色層３を築盛すると共に、ダイヤモンド５を固定した後に、即座に硬化処理を施し、比較的短時間の中に装着処置を完了するものとすることができる。
【００２８】
また、図７に示した当該歯冠装飾綴物１は、口腔内に装着されたインレー６もしくは口腔外に取り出したインレー６の歯冠部分における唇側面の全体を、約１．５ｍｍ程度削り、オペーク材４を塗布した上、例えば赤色系粉末のステイン材（着色成分）を適量添加、混合して均質色とした光重合型コンポジットレジン（歯冠修復材料）を、約１．５ｍｍの薄さで築盛して歯冠被覆着色層３を形成し、該歯冠被覆着色層３が硬化する前の段階において、その表面側となる適所に、装飾パーツであるダイヤモンド５の基部を埋入状として装飾部分は露出させた状態とした後に、光照射を行って歯冠被覆着色層３を硬化させると同時に、ダイヤモンド５を固定したものとし、インレー６を口腔外に取り出した場合には、対象の歯根部分に装着して口腔内に戻すこととなる。
【００２９】
図８中の歯冠装飾綴物１は、生活歯の歯冠唇側面の略前面に渡り、窩洞を形成し、露出状となったエナメル質または象牙質表面に対し、洗浄やプライミング等の適宜前処理を施してボンディング材を塗布した上、例えば橙色系液状のステイン材（着色成分）を適量添加、混合して均質色とした光重合型コンポジットレジン（歯冠修復材料）を、約１．５ｍｍの薄さで築盛して歯冠被覆着色層３を形成し、該歯冠被覆着色層３が乾燥する前段階に、その表面側となる適所に、装飾パーツであるダイヤモンド５の基部を埋入状として装飾部分は露出させた状態にしてから、光照射を行い歯冠被覆着色層３を硬化させたものであって、全ての処理が口腔内にて行われるものである。
【００３０】
図９および図１０の歯冠装飾綴物１は、クラウン部分をもたず、上端面の略中央にキーパー（磁石）６１を露出させた硬質レジン製のインレー６を、失活歯に対して装着、固定して形成された支台上に、該インレー６の歯冠部分を形成するよう成型された硬質レジン成型品からなり、基部端面のキーパー６１に対応する箇所に磁性体２２を埋込状として、その吸着面部分を露出状に一体化したクラウン（人工歯冠）２であり、当該クラウン２は、部分床義歯２１の一部を形成し、同部分床義歯２１に一体化されたものとなっている。
【００３１】
該クラウン２はその唇側面の全体を、隣接する歯冠同側面より約１．５ｍｍ削り込み窩洞を形成した後に、オペーク材４を塗布し、例えば蛍光紫色系粉末のステイン材（着色成分）を適量添加したポーセレン（歯冠修復材料）を、約１．５ｍｍの薄さで築盛して歯冠被覆着色層３を形成し、隣接する歯冠の同側面に滑らかに連なるようにし、歯冠被覆着色層３が硬化前の段階において、装飾パーツ５を装着可能な凹欠部分３１を形成した後に、適宜熱処理して焼成を施し、冷却後にその凹欠部分３１に対して透明なセメント等を用いて装飾パーツであるダイヤモンド５の基部を埋入状とし、その装飾部分は露出させた状態に固着し、完成された部分床義歯２１を口腔内に脱着自在に装着したものとする。
【００３２】
さらに、当該歯冠装飾綴物１は、ブリッジ、全部床義歯の選択された歯冠、メタルボンド冠、金属冠、ジャケット冠、継続歯、オールセラミッククラウン、ラミネートベニアあるいはアンレー等に対しても、略同様の加工を施すことによって製造することができ、歯冠被覆着色層３の硬化前に装飾パーツ５を装着することや、歯冠被覆着色層３硬化前に凹欠部を形成して置き、硬化後に装飾パーツ５を装着ことが可能である外、歯冠被覆着色層３の硬化後に凹欠加工を施し、装飾パーツ５を装着することが可能である。
【００３３】
（実施例の効果）
以上のような構成からなる実施例１の歯冠装飾綴物１は、前記この発明の効果の項で記載の特徴に加え、装着者が、歯冠被覆着色層３の色彩変更やダイヤモンド５の取り外し、あるいは天然歯に近い色彩の歯冠と交換しようとする場合であっても、図２および図６中に示されるようにインレー６からクラウン２を取り外すだけで、簡便に異なる色彩の歯冠被覆着色層３や装飾パーツ５を装着したクラウン２に交換することも、また、天然歯に近い色彩の歯冠と交換することも可能であり、天然歯への特別な加工を一切必要とせず、気軽に交換することができるという利点を得られることになる。
【００３４】
また、図７中に示した、実施例２のインレー６に対してオペーク材４を塗布し、ステイン材を混合した光重合型コンポジットレジンを使用した歯冠被覆着色層３を築盛したものでは、口腔内における比較的短時間の作業によって歯冠唇側面への着色と、ダイヤモンド５の固着とを完了させることができる上、色彩の変更やダイヤモンド５の取外しや交換に際しても、残存歯根等の象牙質部分に新たな加工を施すことなく、インンレー６に被着した歯冠被覆着色層３やダイヤモンド５のみを取り除き、再度好みの色調に調整された歯冠被覆着色層３を築盛したり、所望の装飾パーツ５を取り付けたりすることが簡単に行えるという利点がある。
【００３５】
実施例３の天然歯の歯冠唇側面に、図８中に示すように、ステイン材を混合した光重合型コンポジットレジンを使用した歯冠被覆着色層３を築盛し、同歯冠被覆着色層３の適所にダイヤモンド５を装着する構造としたことから口腔内の比較的短時間の中に簡便に歯冠装飾綴物１を形成することができ、しかも齲蝕が無く治療の必要が無い歯冠部分に対して健康な歯冠部分の削除を全く行うことなく、歯冠エナメル質外表面に対して適宜前処理を施し、ボンディング材を塗布した上から歯冠被覆着色層３を強固に固着、外装することも可能であり、不要となれば、歯冠被覆着色層３およびダイヤモンド５を除去することにより、装着前の天然歯に戻すことが可能である。
【００３６】
実施例４の図９および図１０中に示してあるように、脱着型の部分床義歯２１の選択された歯冠２の唇側面もしくは頬側面の略全体に着色成分を含有する歯冠被覆着色層３を装着し、適所にダイヤモンド５を固定した構造としてあり、着色成分の色彩を異にする歯冠被覆着色層３および異なる宝石製あるいは貴金属製等の装飾パーツ５を装飾した複数種類の部分床義歯２１，２１，……を予め製作して置き、複数個有る部分床義歯２１，２１，……の中から服装や目的に応じて一つを選び出し、装着者自らが簡便に交換して装着、使用することが可能となり、しかも装飾の施されていない天然歯と同様の外観をもつ部分床義歯２１との交換も極めて容易に行うことができるものとなる。
【００３７】
（結  び）
叙述の如く、この発明の歯冠装飾綴物、およびそれを利用した歯冠装飾方法は、その新規な構成によって所期の目的を遍く達成可能とするものであり、しかも製造も容易で、従前からの歯冠装飾技術に比較して十分な歯冠強度を確保することが可能であって、通常歯科治療によって装着される歯冠と同等の耐久性を確保することができると共に、歯冠の唇側面または頬側面にだけに装飾を施すようにしてさらに簡便、且つ経済的に装着することができるものとなり、ファッションの多様化に伴って歯への装飾を希望する若者や歯の審美性に高い関心をもつ人々からは勿論のこと、こうしたニーズに応えようとする歯科医師や歯科技工士によって高く評価され、広範に利用、普及していくものになると予想される。                                                                                                          
【図面の簡単な説明】
【００３８】
図面は、この発明の歯冠装飾綴物、およびそれを利用した歯冠装飾方法の技術的思想を具現化した代表的な実施例を示している。
【図１】選択した歯冠に歯冠装飾綴物を装着した上顎を示す斜視図である。
【図２】図１中Ａ−Ａ線部分を示す断面図である。
【図３】失活歯の窩洞にインレーを装着する状態を示す断面図である。
【図４】金属製のクラウンを示す断面図である。
【図５】オペーク材を対象箇所に装着したクラウンを示す断面図である。
【図６】歯冠被覆着色層を築盛したクラウンを示す断面図である。
【図７】インレーに歯冠被覆着色層を築盛したクラウンを示す断面図である。
【図８】歯冠被覆着色層を築盛した天然歯を示す断面図である。
【図９】装着状態の部分床義歯要部を示す断面図である。
【図１０】分離状態の部分床義歯要部を示す断面図である。
【符号の説明】
【００３９】
１      歯冠装飾綴物
２      クラウン（人工歯冠）
２１    同  部分床義歯
２２    同  磁性体
３      歯冠被覆着色層
３１    同  凹欠部分
４      オペーク材
５      ダイヤモンド（装飾パーツ）
６      インレー
６１    同  キーパー（磁石）
【図１】
2005253631.tif 000003
【図２】
2005253631.tif 000004
【図３】
2005253631.tif 000005
【図４】
2005253631.tif 000006
【図５】
2005253631.tif 000007
【図６】
2005253631.tif 000008
【図７】
2005253631.tif 000009
【図８】
2005253631.tif 000010
【図９】
2005253631.tif 000011
【図１０】
2005253631.tif 000012